(57)【要約】【課題】パチンコ球の動きの趣向性を格段に向上させる。【解決手段】パチンコ機の役物１は、ガラス板である、第１透光板３と第２透光板４とを、隙間５を設けて二重に立設し、隙間５の上面５ａがパチンコ球Ｂの入口６、隙間５の側面５ｂがパチンコ球Ｂの出口７となるように設定し、第１透光板３と第２透光板４は、それぞれ、厚さが均一な板状体であり、２個の平行な主面と４個の端面とを備え、上面５ａの幅が第１の位置Ｐから前方向にある第２の位置Ｑに向かってパチンコ球Ｂを超えた値に漸増するとともに、側面５ｂの幅が第２の位置Ｑから下方にある第３の位置Ｒに向かってパチンコ球Ｂの直径Ｄを超えた値から漸減するように設定する。【選択図】        図２
2009297272.tif 000002
【特許請求の範囲】
【請求項１】
第１透光板と第２透光板とを隙間を設けて二重に立設し、
前記隙間の上面がパチンコ球の入口、前記隙間の側面がパチンコ球の出口となるように設定し、
前記上面の幅が第１の位置から前方向にある第２の位置に向かってパチンコ球の直径を超えた値に漸増するとともに、前記側面の幅が第２の位置から下方にある第３の位置に向かってパチンコ球の直径を超えた値から漸減するように設定し、
前記隙間の下部にパチンコ球を前記隙間から外部に誘導する誘導板を設けたことを特徴とするパチンコ機の役物。
【発明の詳細な説明】
【技術分野】
【０００１】
本発明はパチンコ球の動きを面白くするパチンコ機の役物に関する。
【背景技術】
【０００２】
特許文献１に示す通り、比較的大型の役物を用いていても、遊技性が損なわれにくい遊技機を提供するため、パチンコ機の遊技盤１には、その中央に略円形状の遊技領域が形成されており、この遊技領域の中央位置には、比較的大型のセンター装置１４が設けられ、センター装置１４は視覚的なインパクトが大きい分、遊技領域内で占める面積が大きくなっているが、上部の球入口１４ｃからパチンコ球を取り込んで、これをワープ通路に案内することができ、ワープ通路は装飾体１４ａ，１４ｂと一体に形成されているため視覚的な面白みが増し、ワープ通路から放出されたパチンコ球は、球ステージ１４ｅに放出されて左右に揺れ動くので、パチンコ球の動きに興趣性の高い変化が与えられる。
【０００３】
特許文献２に示す通り、取り込んだパチンコ球に面白い動きをさせることが可能な役物を有するパチンコ機を提供するため、円筒役物１２Ａは、円筒形状をしており、パチンコ球が通過することが可能な多数の貫通口１１がその曲面１５に貫設され、その曲面１５には歯車１６が周設されるとともに、その曲面１５の両端には一対の軸受１７が嵌設され、曲面１５に周設された歯車１６は、モータ２１の歯車３１に歯合するので、モータ２１の駆動力により、円筒役物１２Ａを矢印Ｓの方向に回転させる発明がある。
【０００４】
特許文献３に示す通り、パチンコ球の落下方向を任意に設定でき、しかも、パチンコ球の落下速度を制御できるパチンコ機を提供するため、台板９にはシャフト１０，１１が回転可能に装着されており、各シャフト１０，１１にはプーリー１０ａ，１１ａが固定されている。そして、プーリー１０ａ，１１ａにはベルト１２が掛渡されており、落下モータが作動すると、落下モータの回転力がシャフト１０，１１からプーリー１０ａ，１１ａに伝達され、ベルト１２が回転する。この構成の場合、パチンコ球Ａが球通路１３内に侵入すると、パチンコ球Ａがベルト１２に保持されながら球通路１３に沿って下降した後、ベルト１２の駆動速度に応じた速度で球通路１３から放出される。このため、パチンコ球Ａの落下方向が任意に設定される上、パチンコ球Ａの落下速度も制御される発明がある。
【０００５】
特許文献４に示す通り、パチンコ球の落下速度を制御するため、複数のローラ３０のそれぞれは矢印Ｂ４方向へ回転操作され、複数のローラ３１のそれぞれは矢印Ｂ５方向へ回転操作され、パチンコ球が複数のローラ３０および複数のローラ３１相互間の球通路３２内に侵入したときにはローラ３０のカラー３０ｃおよびローラ３１のカラー３１ｃのそれぞれから付与される摩擦力でカラー３０ｃおよびカラー３１ｃ相互間に停留し、球通路３２に沿って下方へ搬送された後に球通路３２から放出され、これら複数のローラ３１のそれぞれはローラ３０とは異なる回転速度で回転操作されるものであり、球通路３２から放出されるパチンコ球には回転力が付与される発明がある。
【０００６】
【特許文献１】特開2005-253579号公報
【特許文献２】特開2005-334365号公報
【特許文献３】特開平10-277218号公報
【特許文献４】特開2008-29867号公報
【発明の開示】
【発明が解決しようとする課題】
【０００７】
上記従来の役物の発明は、パチンコ球が左右に揺れ動く動き、パチンコ球が転動するもの、遊技球の球速を変化させるものであるが、パチンコ球の面白みが少なく、パチンコ球の動きに飽きられてしまうという問題がある。そこで、本発明の目的はパチンコ球の動きの趣向性を格段に向上させることある。
【課題を解決するための手段】
【０００８】
本発明は、第１透光板と第２透光板とを隙間を設けて二重に立設し、前記隙間の上面がパチンコ球の入口、前記隙間の側面がパチンコ球の出口となるように設定し、前記上面の幅が第１の位置から前方向にある第２の位置に向かってパチンコ球の直径を超えた値に漸増するとともに、前記側面の幅が第２の位置から下方にある第３の位置に向かってパチンコ球の直径を超えた値から漸減するように設定し、前記隙間の下部にパチンコ球を前記隙間から外部に誘導する誘導板を設けたことを特徴とするパチンコ機の役物とする。
【０００９】
第１の位置から第２の位置に向かってパチンコ球が移動すると、パチンコ球の直径と隙間の横幅が合致する位置でパチンコ球が隙間へ入って、第１透光板と第２透光板の内側面の２箇所で点接触しつつ転動し（以下、点接触転動という。）、斜め下方に前進しながら、緩速度で下降する。すなわち、パチンコ球の位置エネルギーが減少する代わりにパチンコ球の回転運動のエネルギーが増加する現象が起きる。そして、パチンコ球はそのような転動状態を維持し、自重によって隙間の下部に至ると、パチンコ球が誘導板の上面に点接触し、側面での２箇所の点接触から解放される。このような接触状態の変更によって、パチンコ球が誘導板に沿って回転する。このとき、パチンコ球の動きが変更され、出口から外部に誘導される。そして、パチンコ球がエネルギーをロスし減速してゆく。
【発明の効果】
【００１０】
パチンコ球が入口から隙間に入ると点接触転動するので、パチンコ球の動きの面白さが生じる。また、パチンコ球が誘導板上に沿って回転しながら進行方向に向かって移動するので、パチンコ球の動きの変更による面白さが生じる。このように斬新で奇抜なパチンコ球の動きを遊技者が見ることができ、趣向性、演出性が格段に向上する。
【発明を実施するための最良の形態】
【００１１】
以下、本発明の実施の形態に係るパチンコ機の役物１（以下、単に役物１という。）について図１〜図６を参照して説明する。
【００１２】
本実施形態は、種々の態様でパチンコ機に適用できるが、たとえば、図１に示す通り、パチンコ機の遊技盤の中央部に取り付けられた装置２（以下、中央装置２と呼ぶ）に適用した一例が挙げられる。
【００１３】
パチンコ機の役物１は、図２に示す通り、パチンコ球Ｂの動きをわかりやすくするため、図１に示すものよりも、説明の便宜上、長さと高さが大きくしてある。この役物１は、ガラス板である、第１透光板３と第２透光板４とを、隙間５を設けて二重に立設し、隙間５の上面５ａにパチンコ球Ｂの入口６が位置し、隙間５の側面５ｂにパチンコ球Ｂの出口７が位置するように設定してある。第１透光板３と第２透光板４は、それぞれ、厚さが均一な板状体であり、２個の平行な主面と４個の端面とを備え、互いの主面が対向するように配置されている。ここでは第１透光板３と第２透光板４は方形であるが、形状はこれに限定されず、また、材質も透明が好ましいが、半透明など透光度は適宜変更できる。また、上面５ａの幅が第１の位置Ｐから前方向にある第２の位置Ｑに向かってパチンコ球Ｂの直径よりも少ない値から超えた値に漸増するとともに、側面５ｂの幅が第２の位置Ｑから下方にある第３の位置Ｒに向かってパチンコ球Ｂの直径Ｄを超えた値から少ない値に漸減するように設定してある。さらに、隙間５の下部にパチンコ球Ｂを隙間５から外部に誘導する誘導板８を設けたことを特徴とする。この誘導板８は、第１透光板３と第２透光板４と同じガラス板のほかに、これとは異なる材質でもよく、たとえば、透明な合成樹脂製などであってもよく、動摩擦係数がガラス板と同じ値でも異なる値でもよい。誘導板８は先端が上方に湾曲している。以下、詳細に説明する。
【００１４】
第１透光板３と第２透光板４は同一形状に設定された長方形である。第１透光板３と第２透光板４の間隙５について位置Ｐ〜Ｓとの関係につき図２〜図４を参照して説明する。位置Ｐは、上面５ａの右端であり、ここでの隙間５の横幅（図３では上下方向）はＷ1に設定され、位置Ｑは、上面５aの左端であり、ここでの隙間５の横幅はＷ2に設定されている。位置Ｒは、側面５ｂの下端であり、ここでの隙間５の横幅はＷ3に設定され、位置Ｓは、下面５ｃの右端であり、ここでの隙間５の横幅はＷ4に設定されている。前述した通り、Ｗ2＞Ｄ＞Ｗ1、Ｄ＞Ｗ3＞Ｗ4の関係が成立している。Ｗ3＞Ｄ＞Ｗ4でもよい。図５（ａ）（ｂ）の通り、パチンコ球Bは点接触転動を行う。これについての詳細は後述する。
【００１５】
図１に示すセンター装置２は、遊技盤の略中央部分に取り付けられ、環状に形成された装飾構造物として、遊技内容に応じて電飾表示態様を変化させ、また、入球したパチンコ球Ｂを電動役物へ流下させる機能を備えることにより、遊技者の興趣を高めるものである。
【００１６】
センター装置２は、左右対称の形状とされ、前側から奥側に向かって第１ワープ部２０と、第２ワープ部２１と、可変表示装置用の枠部２２とが配置された３層の構造である。センター装置２は、可変表示装置（図示略）を可視可能にする開口部を有する枠体に形成されたものである。第１ワープ部２０の上部に球入口２３、左右端部に一対の球入口２４，２５が配置されている。第２ワープ部２１は、球入口２３〜２５と連通し逆Ｌ字形状にカーブして形成される一対のワ−プ樋を備えている。第２ワープ部２１の樋の左右端部には一対の球出口２６，２７が向かい合うように設置されている。この球出口２６,２７に一対の役物１がそれぞれ設置されている。第２ワープ部２１と枠部２２の内側底面には、球出口２６，２７から排出される遊技球を受けるためのステージ２８が設けられている。その他、センター装置２は当業者の通常の知識に従って構成されるが、説明は省略する。
【００１７】
図１において、役物１の入口６が球出口２６,２７の近くに配置され、その高さが球出口２６,２７の底面の高さ以下に設定され、役物１の出口７が、球出口２６,２７から遠ざかった位置で、ステージ２８の中央に向かうように配置されている。第１透光板３と第２透光板４の主面は、遊技盤面（図示略）の面方向（ステージ２８の長手方向）に沿って配置されている。
【００１８】
〔実施形態の動作〕
本実施形態に係るパチンコ球の役物１の動作例につき図１〜図６を参照して説明する。
【００１９】
パチンコ球Ｂがセンター装置２の球入口２３〜２５へ入球すると、第２ワープ部２１の樋を流下し、球出口２６又は２７から排出される。このように排出されたパチンコ球Ｂが役物１の上面に沿って転動する。パチンコ球Ｂの直径Ｄと合致する隙間５の位置に至ると、隙間５に侵入し、斜め下方に点接触転動する。前記の侵入時点でのパチンコ球Ｂの移動速度、パチンコ球Ｂと第１透光板３と第２透光板４の主面との動摩擦係数、パチンコ球Ｂの重量、パチンコ球Ｂに対する空気抵抗に従って、パチンコ球Ｂの回転数や移動速度が決まると推察される。
【００２０】
第１の位置Ｐから第２の位置Ｑに向かってパチンコ球Ｂが移動すると、パチンコ球Ｂの直径と隙間の横幅が合致する位置でパチンコ球Ｂが入口６から隙間５へ入って、点接触転動し、自重によって斜め下方に前進する。すなわち、パチンコ球Ｂの位置エネルギーが減少する代わりにパチンコ球Ｂの点接触転動のエネルギーが増加する現象が起きる。図５（ａ）〜（ｃ）に示す通り、パチンコ球の外向する側面の２点Ｓ1およびＳ2で第１透光板３と第２透光板４の内側面に接触し、それらの板に挟持された状態で、回転数Ｒで自転しながら、自重によって、移動速度Ｖで前進しながら下方に移動する。パチンコ球Ｂは、Ｘ方向の端点で第１透光板３と第２透光板４の内側面に接触し、それ以外では非接触であり、また、ＺＹ面に沿って移動しＸ方向への移動はない。パチンコ球Ｂの回転は図５（ａ）で反時計方向である。パチンコ球の刻印が視認できないほどの高速の回転数Ｒで転動する。
【００２１】
ここで、本発明者の考察によれば、第１、第２透光板３，４を上述したように配置していることにより、パチンコ球ＢはＳ1，Ｓ2との距離が、パチンコ球Ｂの直径Ｄよりも僅かに小さい場所に沿って移動する。また、図５（ｃ）の通り、パチンコ球Ｂの中心とＳ1またはＳ2を結ぶ直線の水平方向からの傾きをθとすると、第１、第２透光板３，４と点接触する領域は、パチンコ球Ｂでは直径Ｄに比べて非常に小さな半径ａの円となる。つまり、単位時間当たりの回転数Ｒのとき、パチンコ球ＢがＺＹ平面内で単位時間あたりに移動する距離はＶ＝２πａＲとなる。そして、パチンコ球Ｂは第１、第２透光板３，４により、回転数Rで、移動速度Vで規制された状態での点接触転動を維持する。パチンコ球Ｂの移動軌跡は下凹の曲線である。
【００２２】
そして、パチンコ球Ｂが隙間５の下部に至ると、パチンコ球の下面が誘導板８の上面に点接触し、側面での２箇所の点接触転動から解放される。つまり、半径Ｄ／２の円が移動に寄与することとなるので、単位時間あたりの回転数Ｒのとき、パチンコ球ＢがＺＹ平面内で単位時間あたりに移動する距離はＶ＝２π（Ｄ／２）Ｒとなる。側面での点接触から開放される前後では、回転数Ｒはほとんど連続と考えてよいので、開放されると同時に速度がＤ／２ａ倍になる。本実施形態のようにＤ≫ａと考えられるので、非常に大きな速度変化が得られる。このような接触状態の変更によって、パチンコ球Ｂが、あたかも弾かれたように急加速され、誘導板８上の長手方向に沿って前方に転動し、出口７から外部に誘導される。そして、パチンコ球Ｂがエネルギーをロスし減速する。
【００２３】
パチンコ球Ｂがステージ２８へ出ると、ステージ２８上を遊動してから、ステージ２８の手前側から遊技盤面を流下する。パチンコ球Ｂが電動可変入球装置（図示略）に入球した場合には、可変表示装置の図柄が可変表示を開始し、所定の図柄の組み合わせになると、大当たりとなる。遊技性については遊技規則に従って適宜変更できる。
【００２４】
〔実施形態の効果〕
本実施形態のパチンコ球の役物１によれば、球出口２６,２７から排出されたパチンコ球Ｂが入口６から隙間５に入ると第１透光板３と第２透光板４に挟まれた状態で点接触転動するので、パチンコ球Ｂの動きの面白さが生じる。また、パチンコ球Ｂが第１透光板３と第２透光板４から誘導板８上に移る際に、パチンコ球Ｂの動きが急に変更されることにより趣向性が高くなる。このような斬新で奇抜なパチンコ球の特異な動きを遊技者が視認することができ、趣向性、演出性が格段に向上する。
【００２５】
変更形態であるパチンコ球の役物１００について図６を参照して説明する。この役物１００は、上述実施形態の役物１の第１透光板３と第２透光板４の角部を角形から丸形状に変更したものであり、位置Ｑが位置Ｐよりも低くなっている。また、誘導板１０８が直線状になっている。他の構成は同様であるので、説明は省略する。
【００２６】
なお、本発明は、上述の実施の形態に限定されるものではなく、本発明の技術的思想を逸脱しない範囲において、改変等を加えることが出来るものであり、それらの改変、均等物等も本発明の技術的範囲に含まれることとなる。たとえば、役物１がセンター装置２に好適な例を説明したが、これに限定されることはなく、遊技盤面上の他の装置に適用してもよい。またセンター装置２での遊技性は記載のものには限定されない。また役物１の第１透光板３と第２透光板４の形状は方形、角形、丸形のいずれでもよいし、星型など、その他の形状でもよい。また、ステージ２８の上に誘導板８を設けたが、誘導板８を無くしてステージ２８そのものが誘導板となってもよい。さらにＷ1〜Ｗ4の値は発明の趣旨の範囲内で適宜設定できる。実施形態ではパチンコ球Ｂが第１透光板３と第２透光板４の上側を進んでから隙間５に沈み込んだが、たとえば、パチンコ球Ｂがいきなり隙間５に沈み込んでから、パチンコ球Ｂの軌跡がカーブを描くようにしても良く、その他、種々なる態様で設定できることは無論である。
【図面の簡単な説明】
【００２７】
【図１】本発明実施形態のパチンコ機の役物をセンター装置に適用した例の斜視図である。
【図２】本発明実施形態のパチンコ機の役物の斜視図である。
【図３】同じく平面図である。
【図４】同じく正面図である。
【図５】（ａ）（ｂ）はパチンコ球の点接触転動の様子を示す正面図及び側面図、（ｃ）は（ａ）の部分拡大図である。
【図６】本発明実施形態のパチンコ機の役物の変更形態の斜視図である。
【符号の説明】
【００２８】
１・・・パチンコ機の役物  ２・・・センター装置  ３・・・第１透光板
４・・・第２透光板  ５・・・隙間  ５ａ・・・上面  ６・・・入口
５ｂ・・・側面  ７・・・出口  Ｐ・・・第１の位置  Ｑ・・・第２の位置
Ｒ・・・第３の位置  Ｄ・・・直径  ８・・・誘導板  ２０・・・第１ワープ部
２１・・・第２ワープ部  ２２・・・枠部  ２３，２４，２５・・・球入口
２６，２７・・・球出口  ２８・・・ステージ
【図１】
2009297272.tif 000003
【図２】
2009297272.tif 000004
【図３】
2009297272.tif 000005
【図４】
2009297272.tif 000006
【図５】
2009297272.tif 000007
【図６】
2009297272.tif 000008